(57)【要約】【課題】コンピュータシステムで実行される、より使い勝手が良く、正確なマンモグラフィ画像表示方法を提供する。【解決手段】本発明のマンモグラフィ画像表示方法は、ユーザー・インターフェースを介してマンモグラフィ画像の識別情報を入力し、ホストコンピュータを用いて、識別情報を受信し、画像データの閲覧機能をアクティブにしてマンモグラフィ画像データのヘッダー情報を読み込み、以前に設定された複数の表示ルールを読み込み、マンモグラフィ画像データのヘッダー情報と照合し、マンモグラフィ画像データのヘッダー情報に最も適合する複数の表示ルールの中の１つを自動的に選択し、選択された１つの表示ルールに従ってマンモグラフィ画像データを自動的に分類し、選択された表示ルールのセッティングを適応的に変更し、画像表示装置を介して、分類されたマンモグラフィ画像データを表示する。【選択図】図３
2016198396.tif 000002
【特許請求の範囲】
【請求項１】
ホストコンピュータ、該ホストコンピュータに接続されたユーザー・インターフェース、及び前記ホストコンピュータに接続された画像表示装置を備えるコンピュータシステムで実行されるマンモグラフィ（乳房Ｘ線撮影）画像を表示する方法であって、
（Ａ）前記ユーザー・インターフェースを介してマンモグラフィ画像の識別情報を入力するステップと、
（Ｂ）前記ホストコンピュータを用いて、前記識別情報を受信し、前記ホストコンピュータ上で実行されるマンモグラフィ画像データの閲覧機能をアクティブにして前記マンモグラフィ画像データのヘッダー情報を読み込むステップと、
（Ｃ）前記ホストコンピュータを用いて、以前に設定された複数の表示ルールを読み込み、該複数の表示ルールを前記マンモグラフィ画像データのヘッダー情報と照合するステップと、
（Ｄ）前記ホストコンピュータを用いて、前記マンモグラフィ画像データのヘッダー情報に最も適合する前記複数の表示ルールの中の１つを自動的に選択するステップと、
（Ｅ）前記ホストコンピュータによって、前記選択された１つの表示ルールに従って前記マンモグラフィ画像データを自動的に分類し、前記ユーザー・インターフェースを介して、前記選択された表示ルールのセッティングを適応的に変更するステップと、
（Ｆ）前記画像表示装置を介して、前記分類されたマンモグラフィ画像データを表示するステップと、
を有することを特徴とするマンモグラフィ画像表示方法。
【請求項２】
前記ホストコンピュータは、マンモグラフィ画像データのヘッダー情報に基づいて、誕生日、性別、検査日、検査名、検査量、検査部位、画像タイプ、画像名、及び画像枚数を含む画像属性を分類することを特徴とする請求項１に記載のマンモグラフィ画像表示方法。
【請求項３】
前記検査日は、今回及び過去の検査日を含むことを特徴とする請求項２に記載のマンモグラフィ画像を表示する方法。
【請求項４】
前記検査部位は、左右の乳房正面部及び左右の乳房側面部を含むことを特徴とする請求項２に記載のマンモグラフィ画像表示方法。
【請求項５】
前記画像タイプは、上下方向（ＣＣ）ビュータイプ及び斜位方向（ＭＬＯ）ビュータイプを含むことを特徴とする請求項２に記載のマンモグラフィ画像表示方法。
【請求項６】
前記表示ルールは、前記ユーザー・インターフェースを介して取得され、画像配列セッティング、画像位置セッティング、画像方向セッティング、画像回転セッティング、画像整列セッティング、及び画像ツールセッティングを含む複数の表示ステージを選択するために用いられることを特徴とする請求項１に記載のマンモグラフィ画像表示方法。
【請求項７】
前記画像配列セッティングは、前記ユーザー・インターフェースを介してマンモグラフィ画像をマトリックス配列に配置することを特徴とする請求項６に記載のマンモグラフィ画像表示方法。
【請求項８】
前記画像位置セッティングは、前記ユーザー・インターフェースを介してマンモグラフィ画像の相対位置を入れ替えることを特徴とする請求項６に記載のマンモグラフィ画像表示方法。
【請求項９】
前記画像ツールセッティングは、マスク及び拡大鏡ツールを含むことを特徴とする請求項６に記載のマンモグラフィ画像表示方法。
【請求項１０】
前記コンピュータシステムは、サーバーをさらに備え、
前記ホストコンピュータは、前記サーバーから前記識別情報に対応するマンモグラフィ画像データをダウンロードすることを特徴とする請求項１に記載のマンモグラフィ画像表示方法。
【発明の詳細な説明】
【技術分野】
【０００１】
本発明は、マンモグラフィ（乳房Ｘ線撮影）画像表示方法に関する。
【背景技術】
【０００２】
マンモグラフィ（ｍａｍｍｏｇｒａｐｈｙ）は、早期乳がんを診断するために不可欠なスクリーニング手段である。従来技術によるマンモグラム（乳房Ｘ線写真）は、乳房を透過する電離放射線を使用したマンモグラフィ装置によって得られるネガフィルム画像である。実際には、一回の検査において、様々な断面のマンモグラフィ画像を得るために、同じ乳房に対して異なる方向からＸ線撮影を行う。その後、医師（読影医）が診察室で複数のシャウカステン（投影装置）に複数のマンモグラムを手作業で吊り下げて、異常所見を見つけるために一枚ずつ検査し比較する。時には、以前に検査したマンモグラムや他のマンモグラムが参考のために検査される。その他、比較をしやすくするため、吊り下げるマンモグラムの順序や方向が条件に合うよう調整される。しかし、さらに多くのマンモグラムを並べて見ることが必要な場合、シャウカステンの数や設置場所に制限があるため、この方法では十分でない。こうした手作業で吊り下げる方法やシャウカステンを必要とする方法は、使い勝手が悪く、時間を浪費し、費用がかり、診断効率を向上させることが困難である。
【０００３】
このため、マンモグラムを読影するユーザーである読影医の通常の作業習慣、医療環境、業務処理手順に適したマンモグラムを吊り下げるための特別な方法が提供されている。しかし、たとえそのような特別な吊り下げ方法が提供されても、手作業で吊り下げるというやり方ゆえに、その効果は限定される。
【０００４】
したがって、これまでのマンモグラムを吊り下げる方法で行っていたやり方を変えないで、上述の表示方法を改善するマンモグラフィ画像表示方法を提供することが求められており、これによって診断が完全で満足すべきものとなることが期待されている。
【発明の概要】
【発明が解決しようとする課題】
【０００５】
本発明は、上記従来の問題点に鑑みてなされたものであって、本発明の目的は、コンピュータシステムで実行される、より使い勝手が良く、正確なマンモグラフィ画像表示方法を提供することにある。
【課題を解決するための手段】
【０００６】
上記目的を達成するためになされた本発明の一態様によるマンモグラフィ画像表示方法は、ホストコンピュータ、該ホストコンピュータに接続されたユーザー・インターフェース、及び前記ホストコンピュータに接続された画像表示装置を備えるコンピュータシステムで実行されるマンモグラフィ（乳房Ｘ線撮影）画像を表示する方法であって、（Ａ）前記ユーザー・インターフェースを介してマンモグラフィ画像の識別情報を入力するステップと、（Ｂ）前記ホストコンピュータを用いて、前記識別情報を受信し、前記ホストコンピュータ上で実行されるマンモグラフィ画像データの閲覧機能をアクティブにして前記マンモグラフィ画像データのヘッダー情報を読み込むステップと、（Ｃ）前記ホストコンピュータを用いて、以前に設定された複数の表示ルールを読み込み、該複数の表示ルールを前記マンモグラフィ画像データのヘッダー情報と照合するステップと、（Ｄ）前記ホストコンピュータを用いて、前記マンモグラフィ画像データのヘッダー情報に最も適合する前記複数の表示ルールの中の１つを自動的に選択するステップと、（Ｅ）前記ホストコンピュータによって、前記選択された１つの表示ルールに従って前記マンモグラフィ画像データを自動的に分類し、前記ユーザー・インターフェースを介して、前記選択された表示ルールのセッティングを適応的に変更するステップと、（Ｆ）前記画像表示装置を介して、前記分類されたマンモグラフィ画像データを表示するステップと、を有することを特徴とする。
【０００７】
前記ホストコンピュータは、マンモグラフィ画像データのヘッダー情報に基づいて、誕生日、性別、検査日、検査名、検査量、検査部位、画像タイプ、画像名、及び画像枚数を含む画像属性を分類し得る。
前記検査日は、今回と過去の検査日を含み得る。
前記検査部位は、左右の乳房前面部及び左右の乳房側面部を含み得る。
前記画像タイプは、上下方向（ＣＣ）ビュータイプ及び斜位方向（ＭＬＯ）ビュータイプを含み得る。
前記表示ルールは、前記ユーザー・インターフェースを介して取得され、画像配列セッティング、画像位置セッティング、画像方向セッティング、画像回転セッティング、画像整列セッティング、及び画像ツールセッティングを含む複数の表示ステージを選択するために用いられ得る。
前記画像配列セッティングは、前記ユーザー・インターフェースを介してマンモグラフィ画像をマトリックス配列に配置し得る。
前記画像位置セッティングは、前記ユーザー・インターフェースを介してマンモグラフィ画像の相対位置を入れ替え得る。
前記画像ツールセッティングは、マスク及び拡大鏡を含み得る。
前記コンピュータシステムは、サーバーをさらに備え、前記ホストコンピュータは、前記サーバーから前記識別情報に対応するマンモグラフィ画像をダウンロードし得る。
【発明の効果】
【０００８】
本発明によれば、ユーザー・インターフェースを介してマンモグラフィ画像の識別情報を入力し、従来のような手作業による画像の分類やシャウカステンへの吊り下げを行わずに、コンピュータシステムを利用して分類作業を行うことによって、マンモグラフィ画像の特定部位や特定タイプを効率的に表示することができる。
また、画像の管理や保管に伴う労力や費用を削減することができる。
【図面の簡単な説明】
【０００９】
【図１】本発明の一実施形態によるマンモグラフィ画像表示方法が実行されるシステムの構成図である。
【図２】マンモグラフィ画像データのファイル構成の一例を示す概略図である。
【図３】本発明の一実施形態によるマンモグラフィ画像表示方法の処理手順を示すフローチャートである。
【図４】マンモグラフィ画像の表示ルールの構成例を示す概略図である。
【図５】マンモグラフィ画像表示方法に適用されるユーザー・インターフェース用入力画面の表示例を示す図である。
【図６】マンモグラフィ画像の左右反転表示を示す概略図である。
【図７】今回と過去の検査画像の入れ替え表示を示す概略図である。
【図８】胸壁−胸壁の表示に対応するマンモグラフィ画像を示す概略図である。
【図９】マンモグラフィ画像表示方法に適用されるユーザー・インターフェース用入力画面の第２の表示例を示す図である。
【図１０】上下方向（ＣＣ）ビュータイプと斜位方向（ＭＬＯ）ビュータイプの入れ替え表示を示す概略図である。
【図１１】マンモグラフィ画像表示方法に適用されるユーザー・インターフェース用入力画面の第３の表示例を示す図である。
【図１２】マンモグラフィ画像表示方法に適用されるユーザー・インターフェース用入力画面の第４の表示例を示す図である。
【発明を実施するための形態】
【００１０】
以下、本発明を実施するための形態の具体例を、図面を参照しながら詳細に説明する。
【００１１】
図１は、本発明の一実施形態によるマンモグラフィ画像表示方法が実行されるシステムの構成図である。
【００１２】
図１に示すように、コンピュータシステム１０は、ホストコンピュータ１、ホストコンピュータ１に接続されたユーザー・インターフェース２、ホストコンピュータ１に接続された画像表示装置３を備える。また、コンピュータシステム１０は、通信ネットワーク５を介してサーバー４と相互にデータを送受信できるように通信接続される。
【００１３】
ホストコンピュータ１は、図示しないが、ＣＰＵ、メモリ、ストレージデバイス、ＬＡＮポート等のハードウェアを備えるパーソナルコンピュータ、サーバー用コンピュータ、及びワークステーション等のコンピュータハードウェアをベースに、オペレーティングシステム等の制御プログラムや、クライアントプログラム又はサーバプログラム等のアプリケーションプログラムをインストールして構成される。特に、マンモグラフィ画像の表示処理を行う専用アプリケーションプログラムがインストールされる。
【００１４】
ユーザー・インターフェース２は、キーボードやマウス等の入力デバイスを備え、アプリケーションプログラムによって実行される各種の処理に対応して画像表示装置３に表示される選択画面等を参照して、ユーザーが入力デバイスの各種の操作ボタンの押下や数字入力によって指示した命令を受け付けて、ホストコンピュータ１に伝達する。
【００１５】
画像表示装置３は、例えば、液晶ディスプレイ（ＬＣＤ：Ｌｉｑｕｉｄ  Ｃｒｙｓｔａｌ  Ｄｉｓｐｌａｙ）からなる高精細モニターで構成され、表示画面上に各種の操作ボタンやアプリケーションプログラムで処理された画像等の表示を行う。また、画像表示装置３（モニター）は、表示画面上にタッチパネルを備えて手指やタッチペン等による入力を受け付ける構成とすることも可能である。
【００１６】
サーバー４は、画像データベース６を備え、すべての患者のマンモグラフィ画像データを保存する。個々の患者のマンモグラフィ画像は、デジタル変換されて固有識別情報が付加され、マンモグラフィ画像データとして保存される。例えば、マンモグラフィ画像データは、ＤＩＣＯＭ（Ｄｉｇｉｔａｌ  Ｉｍａｇｅ  ａｎｄ  Ｃｏｍｍｕｎｉｃａｔｉｏｎｓ  ｉｎ  Ｍｅｄｉｃｉｎｅ）規格に準拠したファイル形式で画像データベース６に格納される。
また、サーバー４は、いわゆるＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）サーバーとして機能し、モダリティ（図示せず）と連結してＰＡＣＳを構成する。
【００１７】
図２は、マンモグラフィ画像データのファイル構成の一例を示す概略図である。図２に示すように、マンモグラフィ画像データファイル６０には、画像データの付帯情報領域（ヘッダー）６１とマンモグラフィ画像の画像データ記憶領域６２とが設けられる。付帯情報領域（ヘッダー）６１には、例えば、ＤＩＣＯＭタグが書き込まれる。ＤＩＣＯＭタグには、患者ＩＤや患者名といった患者基本情報、検査ＩＤや検査日時、マンモグラフィの撮影条件といった検査情報の項目を記憶するフィールドが用意される。したがって、マンモグラフィ画像データは、ＤＩＣＯＭタグ内の各種項目を検索キーとして、検索が可能である。
【００１８】
通信ネットワーク５は、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）、インターネット等の様々な回線形態を適用し得る。
【００１９】
次に、本発明の一実施形態によるマンモグラフィ画像表示方法について図面を参照しながら詳細に説明する。
【００２０】
図３は、本発明の一実施形態によるマンモグラフィ画像表示方法の処理手順を示すフローチャートである。
【００２１】
まず、ユーザーである読影医により、ユーザー・インターフェース２を介して、検査対象のマンモグラフィ画像の識別情報が入力される（ステップＡ）。識別情報の入力に応答して、ホストコンピュータ１は、検査に用いるために患者のマンモグラフィ画像データをサーバー４からダウンロードする。
【００２２】
ホストコンピュータ１は、識別情報を受信し、マンモグラフィ画像データの閲覧機能をアクティブにして、対応するマンモグラフィ画像データのヘッダー情報を読み込む（ステップＢ）。
【００２３】
次に、ホストコンピュータ１は、以前に設定された複数の表示ルールを読み込み、読み込んだ複数の表示ルールをマンモグラフィ画像データのヘッダー情報と照合する（ステップＣ）。そして、ホストコンピュータ１は、複数の表示ルールの中で検査対象のマンモグラフィ画像データのヘッダー情報に最も良く適合する１つの表示ルールを自動的に選択する（ステップＤ）。
【００２４】
その後、ホストコンピュータ１は、選択された１つの表示ルールに従って、マンモグラフィ画像データを自動的に分類する（ステップＥ）。そして、分類されたマンモグラフィ画像データを、画像表示装置（高精細モニター）３を介して表示する（ステップＦ）。
【００２５】
ステップＥにおいて、ホストコンピュータ１は、ユーザー・インターフェースを介してユーザーがマンモグラフィ画像を表示するために必要な表示ルールの設定を適応的に変更することが可能である。
【００２６】
ここで、表示ルールとは、個々のユーザー（読影医）が通常の作業習慣に従ってマンモグラフィ画像の検査を行う際に、画像表示装置（高精細モニター）で画像を表示させるルールであり、図４に示すように、少なくともマンモグラフィ画像の表示レイアウト（表示ステージ）設定と、設定された表示ステージを所定の順序で表示させる設定とを含んで構成される。
【００２７】
表示ルールの設定において、マンモグラフィ画像データのヘッダー情報（ＤＩＣＯＭタグを含む）を利用することで、各画像データの属性情報に基づきホストホストコンピュータが自動的に検索して所定の画像データを選択する。さらに、表示ルールは、選択された画像データを、所望の表示レイアウト且つ所望の順序で表示させる手順を定めて、アプリケーションプログラムが参照するデータファイルとしてサーバー４に保存される。
【００２８】
個々の表示ルールは、ユーザー・インターフェース２を使用し、必要に応じて複数の表示ステージを選択することで取得される。すなわち、表示ルールは表示ステージの異なったシーケンスで構成される。
【００２９】
表示ステージには、画像配列セッティング、画像位置セッティング、画像方向セッティング、画像回転セッティング、画像整列セッティング、画像ツールセッティングが含まれる。
【００３０】
画像配列セッティングは、ユーザー・インターフェース２を介してマンモグラフィ画像をマトリックス配列に配置する。例えば、４Ｘ２、２Ｘ２、２Ｘ１、他のマトリックスに配列する。
【００３１】
画像位置セッティングは、ユーザー・インターフェース２を介してマンモグラフィ画像の相対位置を入れ替える。
【００３２】
画像方向セッティングは、ユーザー・インターフェース２を介してマンモグラフィ画像の方向を入れ替える。
【００３３】
画像回転セッティングは、ユーザー・インターフェース２を介して画像を回転する（例えば１８０度回転）。
【００３４】
画像整列セッティングは、マンモグラフィ画像を画像属性に基づいて自動的に分類し、左側または右側に整列する。
【００３５】
画像ツールセッティングは、マスク及び拡大鏡ツールを備える。
【００３６】
ホストコンピュータ１は、マンモグラフィ画像のヘッダー情報（ＤＩＣＯＭタグ）に基づいて、誕生日、性別、検査日、検査名、検査量、検査部位、画像タイプ、画像名、及び画像枚数を含む画像属性を分類する。
【００３７】
検査日属性は、今回と過去の検査日を含む。検査部位属性は、左右の乳房前面部と左右の乳房側面部を含む。画像タイプ属性は、上下方向（ＣＣ：ｃｌａｎｉａｌ−ｃａｕｄａｌ）ビュータイプと斜位方向（ＭＬＯ：ｍｅｄｉａｌ−ｌａｔｅｒａｌ）ビュータイプを含む。
【００３８】
図３のステップＥにおいて、表示ルールの中の１つのセッティングは、ユーザー・インターフェース２を介して、適応的に変更される。すなわち、ホストコンピュータ１がマンモグラフィ画像を分類する際、ユーザーは、いつでも、ユーザー・インターフェース２を介して、選択された１つの表示ルールの表示ステージを変更して新しい表示ルールに変更し、その結果、ホストコンピュータ１はその後変更された新しい表示ルールを適用する。
【００３９】
図５は、マンモグラフィ画像表示方法に適用されるユーザー・インターフェース用入力画面の表示例を示す図である。画像表示装置（高精細モニター）の画面上に、表示ステージに設定し得るすべてのマンモグラフィ画像セッティング画面３０が表示される。
【００４０】
マンモグラフィは、一般に一回の検査で左右の乳房前面部と左右の乳房側面部を含む４つの画像を撮影する。
【００４１】
画像配列セッティングにおいて、図５の左側の６つのマトリックスは、点線で示すボックス内に今回の検査画像を表示し、点線で示すボックス外に過去の検査画像を表示する。
【００４２】
画像配列が選択された後、他の画像表示セッティングが行われる。例えば、画像位置セッティング及び画像方向セッティングが設定される。具体的には、図５に示す入力画面の右側に図示した、左右反転表示、過去画像表示、今回と過去画像の位置入れ替え表示、または胸壁−胸壁（となるように画像を反転して）表示というオプションが選択可能である。ここで、点線で囲んだボックス内のセッティングは、左列のマンモグラフィ画像にのみ対応し、ボックス外の左右反転表示のオプションは、図５の左側に示す６つのマトリックス内の画像を反転する。
【００４３】
図６は、マンモグラフィ画像の左右反転表示を示す概略図であり、図５の左最上部の左右マンモグラフィ画像が反転されたことを示し、他の５つの画像における左右マンモグラフィ画像も、左右反転表示セッティングが選択されると、反転される。
【００４４】
図７は、今回と過去の検査画像の入れ替え表示を示す概略図である。ここでは、点線で示すボックス内に表示された今回の検査画像を下側から上側に、ボックス外に表示された過去の検査画像を上側から下側に、それぞれ入れ替える。
【００４５】
図８は、胸壁−胸壁の表示に対応するマンモグラフィ画像を示す概略図であり、異なる方向で今回と過去の検査画像を表示する。
【００４６】
図９は、マンモグラフィ画像表示方法に適用されるユーザー・インターフェース入力用画面の第２の表示例を示す図であり、マンモグラフィ画像を表示する優先順位を設定するためのユーザー・インターフェースである。
【００４７】
ここで、優先順位（ｐｒｉｏｒｉｔｙ）とは、マンモグラフィ画像が表示される順序を示す。優先順位が「１」にセットされると、その表示の順序が第１位となり、その他の順序も同様にセットされる。優先順位がオフ（ｏｆｆ）にセットされると、このセッティングは適用されない。
【００４８】
図１０は、上下方向（ＣＣ）ビュータイプと斜位方向（ＭＬＯ）ビュータイプの入れ替え表示を示す概略図であり、図９の右側に図示した、ＭＬＯとＣＣ画像の表示位置入れ替えが選択されると、マンモグラフィ画像が入れ替わることを示す。
【００４９】
図１１は、マンモグラフィ画像表示方法に適用されるユーザー・インターフェース入力用画面の第３の表示例を示す図であり、異なる画像を比較するときの表示ステージセッティングを示す。
【００５０】
図１２は、マンモグラフィ画像表示方法に適用されるユーザー・インターフェース入力用画面の第４の表示例を示す図であり、マスクツールを使用するときの表示ステージセッティングを示す。
【００５１】
表示ステージへのセッティングが割り当てられる（設定される）と、ホストコンピュータ１は、表示ルールを作成するために、この時のセッティングを記録し、サーバー４に保存する。
【００５２】
次回のマンモグラフィ画像検査のために、ホストコンピュータ１は、以前に設定された複数の表示ルールをサーバー４から読み込み、読み込まれた複数の表示ルールをマンモグラフィ画像データのヘッダー情報と照合する。このようにしてホストコンピュータ１は、複数の表示ルールの中からマンモグラフィ画像データのヘッダー情報に最も良く適合する１つの表示ルールを自動的に選択し、その結果、ホストコンピュータ１は、画像表示装置に表示されるマンモグラフィ画像データに１つの表示ルールを適用する。これにより、マンモグラフィ画像データは好ましい性能で表示され、マンモグラフィ検査が、より使い勝手が良く、正確なものとなる。
【００５３】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００５４】
１    ホストコンピュータ
２    ユーザー・インターフェース
３    画像表示装置（高精細モニター）
４    サーバー
５    通信ネットワーク
６    画像データベース
１０    コンピュータシステム
３０    マンモグラフィ画像のセッティング画面
６０    マンモグラフィ画像データファイル
６１    付帯情報領域（ヘッダー）
６２    画像データ記憶領域
【図１】
2016198396.tif 000003
【図２】
2016198396.tif 000004
【図３】
2016198396.tif 000005
【図４】
2016198396.tif 000006
【図５】
2016198396.tif 000007
【図６】
2016198396.tif 000008
【図７】
2016198396.tif 000009
【図８】
2016198396.tif 000010
【図９】
2016198396.tif 000011
【図１０】
2016198396.tif 000012
【図１１】
2016198396.tif 000013
【図１２】
2016198396.tif 000014